(57)【要約】【課題】設計作業を簡素化しつつも、長期に亘って安定した動作を実現する払出ユニットを備えた遊技機を提供する。【解決手段】ベース体１１０およびカバー部材１２０の両対向面１１０ａ、１２０ａ間に、遊技球が通過可能な通路１３０が形成されるとともに、ベース体およびカバー部材に回転自在に収容された回転体１７０が回転すると、回転体の回転に伴って、通路内に貯留された遊技球が１つずつ払い出される払出ユニットを備えた遊技機であって、ベース体の対向面に設けられ、ベース体およびカバー部材の対向方向に軸心を沿わせて延在する軸部１８０と、カバー部材の対向面に設けられ、軸部の先端部１８０ｂを支持する軸支持部１９０と、を備え、回転体は、回転中心に貫通孔１７６が形成され、貫通孔に挿通された軸部によって回転自在に軸支される。【選択図】図８
2014168584.tif 000002
【特許請求の範囲】
【請求項１】
ベース体およびカバー部材の両対向面間に、遊技球が通過可能な通路が形成されるとともに、該ベース体および該カバー部材に回転自在に収容された回転体が回転すると、該回転体の回転に伴って、該通路内の遊技球が１つずつ払い出される払出ユニットを備えた遊技機であって、
前記ベース体および前記カバー部材のいずれか一方の対向面に設けられ、該ベース体および該カバー部材の対向方向に軸心を沿わせて延在する軸部と、
前記ベース体および前記カバー部材のいずれか他方の対向面に設けられ、前記軸部の先端を支持する軸支持部と、
を備え、
前記回転体は、回転中心に貫通孔が形成され、該貫通孔に挿通された前記軸部によって回転自在に軸支されていることを特徴とする払出ユニットを備えた遊技機。
【請求項２】
前記軸部は、段差部を境にして先端側が基端側よりも小径となる段差形状であって、
前記軸支持部は、前記軸部の先端が挿入される挿入穴を開口させるとともに、該挿入穴が開口する開口面に、前記軸部の段差部が突き当たる寸法関係を維持していることを特徴とする請求項１に記載の払出ユニットを備えた遊技機。
【請求項３】
前記軸部の基端側の外径と、前記軸支持部の外径とは等しく、かつ、該軸部は、基端側から先端側に向けて外径が徐々に小さくなるテーパ部を備え、
前記回転体は、前記貫通孔の一端側が前記軸部の基端側に支持され、該貫通孔の他端側が前記軸支持部に支持されていることを特徴とする請求項１または２に記載の払出ユニットを備えた遊技機。
【発明の詳細な説明】
【技術分野】
【０００１】
本発明は、遊技球の払い出しを行う払出ユニットを備えた遊技機に関する。
【背景技術】
【０００２】
遊技球を用いて遊技を行う遊技機においては、入賞口に遊技球が入賞すると、所定数の遊技球を遊技者に払い出すことから、遊技球の払い出しを行うための払出ユニットが設けられている（特許文献１）。こうした払出ユニットは、ケース内に遊技球が通過可能な通路が形成されるとともに、パルスモータ等のアクチュエータの駆動によって回転するスプロケット（回転体）が収容されている。そして、遊技球の払い出しの際には、アクチュエータが駆動されてスプロケットが回転するとともに、このスプロケットの回転に伴って、通路内に貯留された遊技球が１つずつ払い出されることとなる。
【先行技術文献】
【特許文献】
【０００３】
【特許文献１】特開２００１−１２９１９６号公報
【発明の概要】
【発明が解決しようとする課題】
【０００４】
上記の払出ユニットにおいては、スプロケットの一部が通路内に突出しており、この突出部分によって、遊技球の通過（落下）が規制され、通路内に遊技球が貯留されることとなる。そのため、スプロケットには、通路内に貯留された多数の遊技球の荷重が作用するとともに、スプロケットの回転によって遊技球が通路を通過（落下）する際には、上方から落下する遊技球がスプロケットに衝突する。
【０００５】
このように、スプロケットには荷重や衝撃が作用することから、上記特許文献１に示される払出ユニットによれば、長期の使用によってスプロケットの軸が傾き、アクチュエータの必要トルクが増大したり、動作不良が生じたりするおそれがある。また、寸法誤差や組み付け誤差が生じると、スプロケットの軸が傾くことから、上記の払出ユニットにおいては、寸法精度を厳密に管理する必要があり、設計が煩雑になってしまう。
【０００６】
そこで、本発明は、設計作業を簡素化しつつも、長期に亘って安定した動作を実現する払出ユニットを備えた遊技機を提供することを目的とする。
【課題を解決するための手段】
【０００７】
上記課題を解決するために、本発明の遊技機は、ベース体およびカバー部材の両対向面間に、遊技球が通過可能な通路が形成されるとともに、該ベース体および該カバー部材に回転自在に収容された回転体が回転すると、該回転体の回転に伴って、該通路内の遊技球が１つずつ払い出される払出ユニットを備えた遊技機であって、前記ベース体および前記カバー部材のいずれか一方の対向面に設けられ、該ベース体および該カバー部材の対向方向に軸心を沿わせて延在する軸部と、前記ベース体および前記カバー部材のいずれか他方の対向面に設けられ、前記軸部の先端を支持する軸支持部と、を備え、前記回転体は、回転中心に貫通孔が形成され、該貫通孔に挿通された前記軸部によって回転自在に軸支されていることを特徴とする。
【０００８】
また、前記軸部は、段差部を境にして先端側が基端側よりも小径となる段差形状であって、前記軸支持部は、前記軸部の先端が挿入される挿入穴を開口させるとともに、該挿入穴が開口する開口面に、前記軸部の段差部が突き当たる寸法関係を維持しているとよい。
【０００９】
また、前記軸部の基端側の外径と、前記軸支持部の外径とは等しく、かつ、該軸部は、基端側から先端側に向けて外径が徐々に小さくなるテーパ部を備え、前記回転体は、前記貫通孔の一端側が前記軸部の基端側に支持され、該貫通孔の他端側が前記軸支持部に支持されているとよい。
【発明の効果】
【００１０】
本発明によれば、設計作業を簡素化しつつも、長期に亘って安定した動作を実現することができる。
【図面の簡単な説明】
【００１１】
【図１】本実施形態の遊技機の斜視図である。
【図２】中枠の背面側の斜視図である。
【図３】払出ユニットの斜視図である。
【図４】払出ユニットの分解斜視図である。
【図５】ベース体における部品の取り付け状態を示す斜視図である。
【図６】回転体の斜視図である。
【図７】回転体と通路との関係を説明する図である。
【図８】払出ユニットのうち、回転体の軸心位置における断面図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１３】
図１は、本実施形態の遊技機１の斜視図であり、扉が開放された状態を示している。図示のように、遊技機１は、略矩形状に組まれた四辺によって囲繞空間が形成される外枠３と、この外枠３にヒンジ機構によって開閉自在に取り付けられた中枠５と、この中枠５に、ヒンジ機構によって開閉自在に取り付けられた前枠７と、を備えている。
【００１４】
中枠５は、外枠３と同様に、略矩形状に組まれた四辺によって囲繞空間が形成されており、この囲繞空間に遊技盤９が保持されている。また、前枠７には、ユニット化されたガラス製または樹脂製の複数の透過板１１が保持されている。そして、これら中枠５および前枠７を外枠３に対して閉じると、遊技盤９と透過板１１とが所定の間隔を維持して略平行に対面するとともに、遊技機１の正面側から、透過板１１を介して遊技盤９が視認可能となる。
【００１５】
詳しい説明は省略するが、遊技盤９の前面には、不図示の釘や風車、ガイドレールが設けられており、遊技盤９、透過板１１、ガイドレールによって囲繞される遊技領域を、遊技球が不規則に転動、流下する。また、遊技盤９の前面には、複数の入賞口が設けられており、これらの入賞口に遊技球が入球すると、前枠７の前面に設けられた上皿に、賞球として遊技球が払い出されることとなる。
【００１６】
図２は、中枠５の背面側の斜視図である。中枠５の背面上部には収容箱１３が設けられており、遊技場に設けられた球循環設備から収容箱１３に遊技球が導かれるように構成されている。また、中枠５の背面側の側部には、収容箱１３に収容された遊技球が導かれる遊技球導入ユニット１５と、この遊技球導入ユニット１５の鉛直下方に配される払出ユニット１００とが設けられている。遊技球導入ユニット１５は、中枠５の側面に沿って配置されており、収容箱１３に収容された遊技球を、鉛直下方に位置する払出ユニット１００に導くものである。
【００１７】
なお、遊技球導入ユニット１５内には、遊技球が通過するための通路が形成されているが、この通路は、水平方向に対して僅かに傾斜する傾斜面と、鉛直方向に延在する鉛直部とを有し、遊技球がその自重によって、傾斜面と鉛直部とを交互に通過しながら、徐々に鉛直下方に蛇行しながら落下するように構成されている。
【００１８】
払出ユニット１００内には、遊技球導入ユニット１５内の通路に連続する通路が形成されており、通常、遊技球導入ユニット１５および払出ユニット１００の通路内には、遊技球が貯留された状態となっている。そのため、通路内に貯留された多くの遊技球の荷重が、払出ユニット１００内の遊技球に作用することとなるが、上記のように、遊技球導入ユニット１５内の通路を湾曲させ、遊技球が蛇行しながら下方に落下するように構成することで、払出ユニット１００内に貯留された遊技球に作用する荷重を低減することができる。
【００１９】
そして、払出ユニット１００においては、通常、払出ユニット１００のさらに下方に設けられた払出通路１７への遊技球の通過が規制されている。一方、上記の入賞口に遊技球が入球し、制御基板から払出信号が出力されて遊技球を払い出すための制御がなされると、払出ユニット１００において、遊技球が１つずつ払出通路１７に払い出されることとなる。以下に、払出ユニット１００の構成について詳細に説明する。
【００２０】
図３は、払出ユニット１００の斜視図であり、図４は、払出ユニット１００の分解斜視図である。なお、図４は、払出ユニット１００に収容される種々の部品を取り外した状態を示している。図３および図４に示すように、払出ユニット１００は、ベース体１１０と、カバー部材１２０とを備えており、これらベース体１１０およびカバー部材１２０が、ネジ止めによって互いに固定されている。より具体的に説明すると、ベース体１１０およびカバー部材１２０は、それぞれ平面状の対向面１１０ａ、１２０ａを有しており、これら両対向面１１０ａ、１２０ａを平行にして対向配置した状態で互いにネジ止めされている。
【００２１】
図４に示すように、ベース体１１０の対向面１１０ａには、カバー部材１２０の対向面１２０ａ側に向けて突出する通路形成隔壁１１０ｂが一体成形されており、カバー部材１２０の対向面１２０ａには、通路形成隔壁１１０ｂに一致する通路形成隔壁１２０ｂが一体成形されている。したがって、対向面１１０ａ、１２０ａを対向させてベース体１１０およびカバー部材１２０をネジ止めして固定すると、通路形成隔壁１１０ｂ、１２０ｂによって、遊技球が通過可能な通路１３０が形成されることとなる。
【００２２】
なお、この通路１３０は、払出ユニット１００（ベース体１１０およびカバー部材１２０）の上端面に導入口１３０ａを開口させている。払出ユニット１００が遊技機１に設置された状態では、遊技球導入ユニット１５の通路出口に導入口１３０ａが臨み、この導入口１３０ａから通路１３０に遊技球が導かれることとなる。また、通路１３０は、払出ユニット１００の略中央部分で、第１通路１３２と第２通路１３４とに分岐している。第１通路１３２は、払出ユニット１００（ベース体１１０およびカバー部材１２０）の下端面に排出路１３２ａを開口させ、第２通路１３４は、払出ユニット１００（ベース体１１０およびカバー部材１２０）の下端面に払出口１３４ａを開口させている。払出口１３４ａは、上記の払出通路１７（図２参照）に臨んでおり、第２通路１３４に導かれた遊技球は、払出ユニット１００から払出通路１７に向けて排出される。一方、排出路１３２ａは、不図示の球抜き通路に臨んでおり、第１通路１３２に導かれた遊技球は、払出ユニット１００から球抜き通路を介して遊技場の球循環設備に回収されることとなる。
【００２３】
また、ベース体１１０とカバー部材１２０とが固定された状態では、対向面１１０ａ、１２０ａが互いに離隔して位置することとなり、対向面１１０ａ、１２０ａ間に、部品を収容するための収容空間が形成される。
【００２４】
図５は、ベース体１１０における部品の取り付け状態を示す斜視図である。この図に示すように、ベース体１１０の下部には、払出検知スイッチ１４０が固定されている。この払出検知スイッチ１４０には、検知孔１４０ａが設けられており、この検知孔１４０ａを遊技球が通過すると、不図示の信号線を介して制御基板に検知信号が出力される。この払出検知スイッチ１４０は、第２通路１３４内であって、払出口１３４ａの近傍に検知孔１４０ａを位置させており、払出口１３４ａから払出通路１７に払い出される遊技球を検知することとなる。
【００２５】
また、ベース体１１０の上部には、球抜きレバー１５０および球抜き弁１５２が設けられている。球抜きレバー１５０は、ベース体１１０の高さ方向にスライド自在に設けられており、通常は、図示の位置に静止している。球抜き弁１５２は、通路１３０のうち、第１通路１３２と第２通路１３４との分岐位置に配されており、通常、図示のように、第１通路１３２の入り口を閉鎖し、導入口１３０ａから通路１３０内に進入した遊技球を、第２通路１３４に導いている。
【００２６】
この球抜き弁１５２は、揺動支点１５２ａを中心に揺動可能に設けられているが、球抜きレバー１５０が図示の位置にあるときには、揺動が規制されており、導入口１３０ａから通路１３０内に進入した遊技球を、第２通路１３４に導く。一方、球抜きレバー１５０が上方にスライドすると、球抜き弁１５２が揺動支点１５２ａを中心に揺動可能となる。この状態で、導入口１３０ａから通路１３０に進入した遊技球が球抜き弁１５２に衝突すると、遊技球の自重により、球抜き弁１５２が第１通路１３２の入り口を開放するように傾動し、遊技球が第１通路１３２に進入することとなる。
【００２７】
この球抜きレバー１５０および球抜き弁１５２により、メンテナンス時等に、遊技球導入ユニット１５や払出ユニット１００から容易に遊技球を抜き出すことができる。このことからも明らかなように、遊技中は、第２通路１３４を介して遊技球が払出通路１７に導かれ、メンテナンス時等、遊技球を抜き出す際には、第１通路１３２を介して遊技球が球抜き通路に導かれることとなる。
【００２８】
また、ベース体１１０には、遊技球を払い出すアクチュエータとしてのモータ１６０が固定されている。このモータ１６０の出力軸１６０ａには、モータギヤ１６２が固定されており、モータ１６０の駆動によってモータギヤ１６２が回転するように構成されている。そして、このモータギヤ１６２には、回転体１７０が噛合しており、モータ１６０の動力が、モータギヤ１６２を介して回転体１７０に伝達される。
【００２９】
図６は、回転体１７０の斜視図である。以下では、回転体１７０のうち、図６（ａ）に示す側の面、すなわち、払出ユニット１００に組み込まれた状態でカバー部材１２０の対向面１２０ａに対向する面を表面１７０ａとし、図６（ｂ）に示す側の面、すなわち、払出ユニット１００に組み込まれた状態でベース体１１０の対向面１１０ａに対向する面を裏面１７０ｂとして説明する。図６に示すように、回転体１７０の外周には、上記のモータギヤ１６２に噛合するギヤ１７２が形成されており、回転体１７０の中心には、表面１７０ａから突出する円筒部１７４が設けられている。この円筒部１７４には、回転体１７０の回転軸心方向に、表面１７０ａから裏面１７０ｂまで貫通する貫通孔１７６が形成されている。
【００３０】
一方、回転体１７０の裏面１７０ｂには、略菱形状の外形を有する規制部１７８が設けられている。この規制部１７８は、その中心を貫通孔１７６の中心に一致させており、裏面１７０ｂから垂直に起立する４つの起立片１７８ａが、貫通孔１７６の回転方向に９０度間隔で配されている。また、規制部１７８は、回転方向に隣り合う起立片１７８ａを繋ぐ延在部１７８ｂを備えている。この延在部１７８ｂは、両端（起立片１７８ａ）側が最も貫通孔１７６から離間し、延在方向の中心に向かうにしたがって徐々に貫通孔１７６に近接する湾曲面となっており、裏面１７０ｂからの突出量は、起立片１７８ａの半分程度となっている。この規制部１７８は、回転体１７０が払出ユニット１００に組み込まれた状態で、第２通路１３４内に位置する。
【００３１】
図７は、回転体１７０と通路１３０との関係を説明する図であり、特に図７（ａ）は、図５の部分破断図を示し、図７（ｂ）は、図５の部分拡大図であり、回転体１７０を透明化して示している。図７（ｂ）に示すように、回転体１７０がベース体１１０に組み込まれた状態では、第２通路１３４の一部が、通路形成隔壁１１０ｂ、ベース体１１０の対向面１１０ａ、回転体１７０の裏面１７０ｂによって構成され、回転体１７０の裏面１７０ｂから突出する規制部１７８が、第２通路１３４内に位置している。
【００３２】
ここで、モータ１６０の駆動が停止している場合には、規制部１７８は、図７（ａ）に示すように、延在部１７８ｂを鉛直上方に臨ませた状態で静止している。また、この状態では、起立片１７８ａの先端と通路形成隔壁１１０ｂとの距離が、遊技球の直径よりも小さく保たれており、起立片１７８ａよりも下方に遊技球が落下（通過）することができなくなっている。これにより、通路１３０内に進入した遊技球は、延在部１７８ｂ上に落下したところで、さらなる落下が規制されることとなり、延在部１７８ｂ上に落下した遊技球を先頭に、通路１３０内に多数の遊技球が鉛直上方に貯留されることとなる。
【００３３】
そして、遊技球を払い出す際には、回転体１７０を９０度回転させるように、制御基板がモータ１６０を駆動制御する。モータ１６０は、例えばパルスモータ等、回転角度を自在に制御することができるように構成され、回転体１７０が９０度回転するたびに、通路１３０内に貯留された遊技球が１つずつ払い出されることとなる。
【００３４】
以上のように、払出ユニット１００に回転自在に収容される回転体１７０には、通路１３０や遊技球導入ユニット１５内に貯留された遊技球の荷重、あるいは、通路１３０内を落下する遊技球の衝突による衝撃が規制部１７８を介して作用する。こうした荷重や衝撃、あるいは、回転体１７０、ベース体１１０、カバー部材１２０等の寸法誤差や組み付け誤差によって、回転体１７０が払出ユニット１００内において傾くと、モータ１６０の必要トルクが増大したり、動作不良が生じたりするおそれがある。本実施形態では、寸法精度や組み付け精度を厳密に管理せずとも、長期に亘って安定的な動作を実現すべく、回転体１７０の軸支構造を次のように構成している。以下に、回転体１７０の軸支構造について、図４および図８を用いて詳細に説明する。
【００３５】
図８は、払出ユニット１００のうち、回転体１７０の軸心位置における断面図である。図４および図８に示すように、ベース体１１０の対向面１１０ａには、カバー部材１２０の対向面１２０ａ側に突出するとともに、ベース体１１０およびカバー部材１２０の対向方向に軸心を沿わせて延在する軸部１８０が設けられている。この軸部１８０は、対向面１１０ａ側に位置する基端部１８０ａから、カバー部材１２０の対向面１２０ａ側に位置する先端部１８０ｂに向かって徐々に小径となるテーパ部１８０ｃを備えている。また、軸部１８０は、先端部１８０ｂ側に段差部１８０ｄが設けられており、この段差部１８０ｄを境にして、先端部１８０ｂ側が基端部１８０ａ側よりも小径となる段差形状となっている。
【００３６】
一方、カバー部材１２０の対向面１２０ａには、軸部１８０の先端部１８０ｂを支持する軸支持部１９０が設けられている。この軸支持部１９０は、対向面１２０ａからベース体１１０の対向面１１０ａ側に突出する円筒形状をなしており、その突出先端部には、軸部１８０の先端部１８０ｂが、圧入または隙間が殆どない状態で挿入される挿入穴１９０ａを開口させている。そして、軸部１８０および軸支持部１９０は、ベース体１１０とカバー部材１２０とを互いに固定したときに、挿入穴１９０ａが開口する開口面１９０ｂに、軸部１８０の段差部１８０ｄが突き当たる（面接触する）寸法関係を維持している。また、軸支持部１９０の外径は、段差部１８０ｄにおける軸部１８０の外径よりも大きく、かつ、軸部１８０の基端部１８０ａ側の外径と等しくなっており、しかも、回転体１７０の貫通孔１７６の内径よりも僅かに小さい寸法関係となっている。
【００３７】
そして、払出ユニット１００に回転体１７０を組み付ける際には、まず、ベース体１１０の軸部１８０に貫通孔１７６を挿通させ、その後、軸支持部１９０を、貫通孔１７６に挿入する。このとき、ベース体１１０とカバー部材１２０とを互いに近接させると、軸部１８０の先端部１８０ｂが、軸支持部１９０の挿入穴１９０ａに進入するとともに、開口面１９０ｂに段差部１８０ｄが突き当たる。このとき、回転体１７０は、貫通孔１７６の一端側が軸部１８０の基端側で支持され、貫通孔１７６の他端側が軸支持部１９０によって支持される。このようにして、回転体１７０は、貫通孔１７６に挿通された軸部１８０によって回転自在に軸支されることとなる。
【００３８】
上記の軸支構造によれば、回転体１７０を回転自在に軸支する軸部１８０の先端部１８０ｂが、軸支持部１９０によって支持されるので、遊技球の荷重や衝撃等が、回転体１７０を介して軸部１８０に作用しても、軸部１８０の軸心が傾きにくい。また、軸部１８０の先端部１８０ｂが、軸支持部１９０によって支持されていれば、軸部１８０の傾きを抑制できるため、多少の寸法誤差や組み付け誤差が生じたとしても、長期に亘って安定的な動作を確保することができる。換言すれば、寸法精度や組み付け精度を厳密に管理せずとも、軸部１８０の傾きを長期に亘って確保することができ、結果として、回転体１７０を長期に亘って安定的に可動させることができる。
【００３９】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００４０】
例えば、上記実施形態では、軸部１８０をベース体１１０の対向面１１０ａに設け、軸支持部１９０をカバー部材１２０の対向面１２０ａに設けることとしたが、これとは逆に、軸部１８０をカバー部材１２０の対向面１２０ａに設け、軸支持部１９０をベース体１１０の対向面１１０ａに設けてもよい。
【００４１】
また、上記実施形態では、軸部１８０にテーパ部１８０ｃを設けるとともに、軸部１８０の基端側と、軸支持部１９０とで回転体１７０を回転自在に支持することとした。しかしながら、例えば、軸部の外径を基端から先端まで均一に構成し、軸部によってのみ回転体１７０を回転自在に支持することとしてもよい。この場合であっても、回転体１７０の貫通孔１７６を貫通した軸部の先端が、軸支持部によって支持されていればよい。
【００４２】
また、上記実施形態では、軸部１８０の先端部１８０ｂが挿入穴１９０ａに、圧入または隙間が殆どない状態で挿入されるとともに、軸部１８０の段差部１８０ｄが開口面１９０ｂに突き当たることとしたが、先端部１８０ｂが挿入穴１９０ａの底部に突き当たるようにしてもよい。
【００４３】
また、上記実施形態では、軸部１８０の先端部１８０ｂが、軸支持部１９０の挿入穴１９０ａに挿入されることで、軸部１８０の先端が軸支持部１９０によって支持されることとした。しかしながら、例えば、軸部の先端に穴を形成し、この穴に軸支持部が挿通されるように構成することで、軸部の先端が軸支持部に支持されるようにしても構わない。
【００４４】
いずれにしても、ベース体１１０およびカバー部材１２０のいずれか一方に軸部を設け、いずれか他方に軸部の先端を支持する軸支持部を設け、回転体１７０の回転中心に形成される貫通孔１７６に軸部が挿通されることで、回転体１７０が回転自在に軸支されれば、各部位の形状や寸法、配置等の詳細は、適宜設計可能である。
【符号の説明】
【００４５】
１     …遊技機
１００  …払出ユニット
１１０  …ベース体
１１０ａ  …対向面
１２０  …カバー部材
１２０ａ  …対向面
１３０  …通路
１３４  …第２通路
１７０  …回転体
１７６  …貫通孔
１８０  …軸部
１８０ａ  …基端部
１８０ｂ  …先端部
１８０ｃ  …テーパ部
１８０ｄ  …段差部
１９０  …軸支持部
１９０ａ  …挿入穴
１９０ｂ  …開口面
【図１】
2014168584.tif 000003
【図２】
2014168584.tif 000004
【図３】
2014168584.tif 000005
【図４】
2014168584.tif 000006
【図５】
2014168584.tif 000007
【図６】
2014168584.tif 000008
【図７】
2014168584.tif 000009
【図８】
2014168584.tif 000010